(57)【特許請求の範囲】
【請求項１】
外扉に画成したディスプレイ室の室内に設置して商品見本を陳列する自動販売機の商品展示台であり、照明灯を組み込んだステージ状になる商品展示台の前面壁に商品見本と個々に対応する冷温表示窓を開口し、その裏側にシート状の冷温表示板を配置して販売商品の冷温表示を行うようにしたものにおいて、商品展示台の前面壁の裏面側に細隙を隔てて冷温表示板の支持ガイドを敷設するとともに、前面壁の壁面にスリット状の表示板挿入口を開口し、該挿入口を通じて冷温表示板を商品展示台の前方から前面壁と支持ガイドとの間の隙間に送り込んで定位置にセットするようにしたことを特徴とする自動販売機の商品展示台。
【請求項２】
請求項１記載の商品展示台において、冷温表示板の支持ガイドに、表示板挿入口の開口面に向けて突き出す挿入案内部を形成したことを特徴とする自動販売機の商品展示台。
【請求項３】
請求項１記載の商品展示台において、表示板挿入口を、商品展示台上に左右に並べて陳列した商品見本の冷温別グループの配列に合わせてその境界に開口したことを特徴とする自動販売機の商品展示台。
【発明の詳細な説明】
【０００１】
【発明の属する技術分野】
本発明は、缶，壜，ペットボトル商品などをホット，もしくはコールド商品として販売する自動販売機を対象に、そのディスプレイ室の室内に設置した商品展示台に関する。
【０００２】
【従来の技術】
まず、図４に本発明の実施対象となる自動販売機の構成を示す。図において、１はその内部に商品収納ラックなどを搭載した本体ケース、２は本体ケース１の前面に配した外扉であり、外扉２には商品取出口３，コイン投入口４，紙幣投入口５，金銭返却レバー６，釣銭返却口７，ロック付きハンドル８、およびディスプレイ室９を備えており、このディスプレイ室９の室内には上下段に並べて商品見本１０を載置陳列する商品展示台１１，およびその前面に商品選択ボタン１２を装備している。
【０００３】
次に、商品展示台１１，およびその周辺の従来構造例を図５，および図６に示す。まず、図５に示す従来例では、ディスプレイ室９は前面に配した透明カバー９ａと背面扉板９ｂとの間に画成されており、商品展示台１１は背面扉板９ｂに、商品選択ボタン１２は断面コ字形の取付板１２ａを介して透明カバー９ａに装着されいる。ここで、商品展示台１１は下面を開放した横長なステージ状の台枠からなり、その内方には照明灯（蛍光灯）１３を組み込んで商品見本１０，ディスプレイ室９の室内全体を照明するようにしている。また、商品選択ボタン１２の取付板１２ａの上にはパネルホルダ１４が設置してあり、このパネルホルダ１４に商品展示台１１に陳列した各商品見本１０と個々に対応して商品価格表示板１５，および「ＨＯＴ」，「ＣＯＬＤ」を表記したシート状の冷温表示板１６が差し込み式に装着されている。
【０００４】
また、図６（ａ），（ｂ）  は、本発明と同一出願人より特願平１０−３１２８３８号として先に提案した改良形の商品展示台の構成図である。この構成では、商品展示台１１に対して、その前面壁１１ａには展示台上に載置陳列した商品見本１０と個々に対応して表示窓１１ｂが開口している。また、前面壁１１ａの下縁は板金加工により裏側に折り返し部１１ｃが形成され、さらにこの折り返し部１１ｃに対向して商品展示台１１の天井側にはその長手方向の数カ所に係止爪部１１ｄが切り起こし形成されている。
【０００５】
かかる構成で、「ＣＯＬＤ」，「ＨＯＴ」の文字を印刷した冷温表示板１６を商品展示台１１の前面壁１１ａの裏側に挿入し、その折り返し部１１ｃと天井側の係止爪部１１ｄの間にまたがって縦向き姿勢に保持し、この状態で「ＣＯＬＤ」，「ＨＯＴ」の文字が冷温表示窓１１ｂを通じて前方から見えるように位置決めセットする。なお、前面壁１１ａの表面には、各冷温表示窓１１ｂの上方位置に価格表示シート１７が貼り付けてある。これにより、商品展示台１１の表示窓１１ｂを通じて前方から冷温表示板１６に表示した「ＣＯＬＤ」，「ＨＯＴ」の文字が見える。また、冷温表示板１６に例えば半透明のシートを採用すれば、商品展示台１１に組み込んだ照明灯１３の光で「ＣＯＬＤ」，「ＨＯＴ」の文字を照らし出される。
【０００６】
そして、前記の構成で冷温表示板１６のセットは次のようにして行う。まず、図４に示した外扉２を開放し、さらにディスプレイ室９の背面扉９ｂを開いて商品展示台１１をディスプレイ室から引出した状態で、図６（ａ）  のように冷温表示板１６を手に持って商品展示台１１の下面から前面壁１１ａの裏側に差し入れて表示板１６の下縁を折り返し部１１ｃに載せた上で指先を使って手前側に押し込む。これにより、冷温表示板１６の上縁が係止爪部１１ｄを乗り越えて所定の位置に保持される。
【０００７】
なお、冷温表示板１６には「ＣＯＬＤ」と「ＨＯＴ」の文字が上下二列に分けて逆向きに印刷されており、冷温表示を変更する場合には前記とは逆にパネル透視窓１１ｂの前方から指先で冷温表示板１６を押し込んで、商品展示台１１の内方に外し、冷温表示板１６の向きを上下反転した上で装着する。
【０００８】
【発明が解決しようとする課題】
ところで、図６に示した従来構成では、冷温表示板１６を挿脱する際の作業面で次に記すような難点がある。
すなわち、冷温表示板１６は照明灯１３が組み込まれている商品展示台１１の内側に手を差し入れ前面壁１１ａの裏面側で作業を行う必要があるが、商品展示台１１の前面壁１１ａとその内方に組み込まれている照明灯１３との間の間隔は一般に狭く、かつ前方からは前面壁１１ａの裏側が見えない。このために、冷温表示板１６の挿脱作業を手さぐりで行うなど作業がやり難く、またこの作業中に手が点灯している照明灯１３に触れたりして思わぬ火傷を負うおそれもある。
【０００９】
本発明は上記の点に鑑みなされたものであり、その目的は前記課題を解決し、冷温表示板の装着，および差し替え作業が商品展示台の前方から楽に行えるように構造を改良してメンテナンス性の改善を図った自動販売機の商品展示台を提供することにある。
【００１０】
【課題を解決するための手段】
上記目的を達成するために、本発明によれば、外扉に画成したディスプレイ室の室内に設置して商品見本を陳列する自動販売機の商品展示台であり、照明灯を組み込んだステージ状になる商品展示台の前面壁に商品見本と個々に対応する冷温表示窓を開口し、その裏側にシート状の冷温表示板を配置して販売商品の冷温表示を行うようにしたものにおいて、
商品展示台の前面壁の裏面側に細隙を隔てて冷温表示板の支持ガイドを敷設するとともに、前面壁の壁面にスリット状の表示板挿入口を開口し、該挿入口を通じて冷温表示板を商品展示台の前方から前面壁と支持ガイドとの間の隙間に挿入セットするように構成する（請求項１）ものとし、具体的には次記のような態様で構成する。
【００１１】
（１）  冷温表示板の支持ガイドに、表示板挿入口の開口面に向けて突き出す挿入案内部を形成する（請求項２）。
（２）  表示板挿入口を、商品展示台上に左右に並べて陳列した商品見本の冷温別グループの配列に合わせてその境界に開口する（請求項３）。
【００１２】
上記の構成によれば、冷温表示板の装着，差し替え作業は、商品展示台の内方に手を差し入れ、前面壁の裏面側で手さぐりにより行うことなく、商品展示台の前方から直接行うことができる。この場合に、（２）  項のように支持ガイドに表示板挿入口の開口面に向けて突き出す挿入案内部を形成しておくことで、冷温表示板の抜き差しを支持ガイドの挿入案内部に沿わせて楽に行えるとともに、該挿入案内部が隣りにセットした別な冷温表示板の位置決めストッパとしての役目も果たす。さらに、表示板挿入口の開口位置を（３）  項のように設定しておくことで、各グループごとにその商品の冷温表示を一括して１枚の冷温表示板を使って実現できる。
【００１３】
【発明の実施の形態】
以下、本発明の実施の形態を図１〜図３に示す実施例に基づいて説明する。なお、実施例の図中で図６に対応する同一部材には同じ符号を付してその説明は省略する。
【００１４】
すなわち、図示実施例においては、商品見本１０と個々に対応して前面に冷温表示窓１１ｂを開口した商品展示台１１に対し、その裏面側には細隙を隔てて表示板の支持ガイド１８が前壁１１ａの長手方向に沿って敷設されており、さらに前面壁１１ａには左右に並ぶ冷温表示窓１１ｂの中間位置にスリット状の表示板挿入口１１ｅが開口している。ここで、支持ガイド１８には、図２（ａ），（ｂ）  で示すように冷温表示窓１１ｂと向き合う箇所に照明灯１３の照明光を前方に導びく導光窓穴１８ａが開口し、さらに表示板挿入口１１ｅの開口部に向けて前方に突き出す断面Ｖ字形の挿入案内部１８ｂが切り起こして屈曲形成されている。
【００１５】
また、前記の表示板挿入口１１ｅは、図３で表すように商品陳列台１１の上に左右に並べて陳列した商品見本１０の冷温別グループＩ，ＩＩ，ＩＩＩ．．．  （自動販売機の本体ケースは通常複数の商品収納室に仕切った上で各室ごとに複数コラムからなる商品収納ラックを収設し、各商品収納室ごとに冷却モード，ないし加熱モードを選択してコールド商品，ホット商品を併売するようにしており、商品陳列台に陳列する商品見本も各商品収納室に設置した商品収納ラックの各コラムに対応して冷温グループ別に振り分けて並べるようにしている）の配列に合わせてその境界（右端）に開口している。
【００１６】
かかる構成で、冷温表示板１６を商品展示台１１に挿入セットする際には、図１（ｂ）  ，ないし図３のように冷温表示板１６を手に持って商品展示台１１の前方から表示板の先端を表示板挿入口１１ｅに挿入し、支持ガイド１８の挿入案内部１８ｂの傾斜面に沿って送り込みながら前面壁１１ａと支持ガイド１８との間の隙間に差込み、冷温表示板１６に印刷されている「ＣＯＬＤ」，ないし「ＨＯＴ」の文字が冷温表示窓１１ｂに表示されるように位置決めして定位置にセットする。なお、この状態では冷温表示板１６の下縁が前面壁１１ａの下端に形成した折り返し部１１ｃの上に載って起立姿勢に保持される。
【００１７】
なお、冷温表示板１６は、先記した商品見本１０の冷温別グループＩ，ＩＩ，ＩＩＩ．．．  の配列に合わせて分割しておき、図３のように各冷温表示板１６ごとに一枚ずつ表示板挿入口１１ｅを通じて挿入セットするようにしている。
【００１８】
これにより、冷温表示板１６を商品陳列台１１に挿入セットした状態では、冷温表示板１６の左端が支持ガイド１８の挿入案内部１８ｂの端面に突き当たって定位置に位置決めされる。また、商品陳列台１１に組み込んだ照明灯１３（図５参照）の照明光が支持ガイド１８の導光窓穴１８ａ，および商品展示台１１の冷温表示窓１１ｂを透過して冷温表示板１６の表示文字を背後から照らし出す。
【００１９】
また、販売商品のコールド／ホット変更に合わせて冷温表示板１６を差し替える場合には、前記手順とは逆に商品展示台１１の前方から冷温表示窓１１ｂに指先を当てがって冷温表示板１６を右側に送り、その左端が支持ガイド１８の挿入案内部１８ｂに沿って表示板挿入口１１ｅから突き出したところで、その先端部を摘んで外部に引き出した後、冷温表示板１６の向きを上下反転して「ＨＯＴ」の文字が下列に来るように定めて、商品展示台１１に挿入セットする。
【００２０】
【発明の効果】
以上述べたように、本発明の構成によれば、冷温表示板のセット，差し替え作業を、従来例のように商品展示台の下面側から前面壁の背後に手を差し入れて手さぐりで行う必要がなく、商品展示台の正面側から直接目視確認しながら楽に行うことができて、メンテナンス性の大幅な改善が図れる。
【図面の簡単な説明】
【図１】本発明の実施例に係わる商品陳列台の構成図であり、（ａ）  は冷温表示板を外した状態での一部正面図、（ｂ）  は冷温表示板を商品展示台にセットする作業手順の説明図
【図２】図１に示した商品展示台の断面図であり、（ａ），（ｂ）  はそれぞれ図１（ａ）  における矢視Ｘ−Ｘ，Ｙ−Ｙ  断面図
【図３】冷温グループ別に分割した冷温表示板を商品展示台に挿脱する作業手順の説明図であり、（ａ）  〜（ｃ）  はその作業手順の各状態を表す図
【図４】本発明の実施対象となる自動販売機の全体の正面図
【図５】図４における従来例の商品展示台，およびその周辺構造を表す縦断側面図
【図６】従来例の改良形商品展示台の構成図であり、（ａ）  は正面図、（ｂ）  は冷温表示板のセット手順を表した側面図
【符号の説明】
１    自動販売機の本体ケース
２    外扉
９    ディスプレイ室
１０    商品見本
１１    商品展示台
１１ａ  前面壁
１１ｂ  冷温表示窓
１１ｃ  折り返し部
１１ｅ  表示板挿入口
１３    照明灯
１６    冷温表示板
１７    価格表示シート
１８    支持ガイド
１８ｂ  挿入案内部
【図１】
0003598872.tif 000002
【図２】
0003598872.tif 000003
【図３】
0003598872.tif 000004
【図４】
0003598872.tif 000005
【図５】
0003598872.tif 000006
【図６】
0003598872.tif 000007